(57)【要約】【課題】回路規模およびコストを抑制しつつ、番組選択を良好に行い得るようにする。【解決手段】ワンセグ受信部１０６-1〜１０６-9は、それぞれ、部分受信階層に割り当てられた１つのセグメントで行われる低解像度の放送を受信する。フルセグ受信部１０８は、部分受信階層に割り当てられた１セグメントを除いた残りの１２セグメントで行われる高解像度のハイビジョン放送を受信する。チャネル（番組）選択時には、ワンセグ受信部１０６-1〜１０６-9からの画像信号による画像を含むマルチ画面を表示部１１０に表示する。ユーザ操作でマルチ画面に基づいて所定チャネルが選択されるとき、フルセグ受信部に所定チャネルを受信チャネルとして設定し、表示部１１０にフルセグ画面を表示する。【選択図】図１
2007329847.tif 000002
【特許請求の範囲】
【請求項１】
第１の解像度の画像に係る第１のデジタル画像信号を受信する第１の受信部と、
上記第１の解像度より低い第２の解像度の画像に係る第２のデジタル画像信号を受信する複数の第２の受信部と、
上記複数の第２の受信部で受信されたそれぞれ異なる番組の第２のデジタル画像信号の全部または一部を用い、該全部または一部による画像を同一画面に表示するためのマルチ画面用デジタル画像信号を生成するマルチ画面生成部と、
上記マルチ画面生成部で生成されたマルチ画面用デジタル画像信号または上記第１の受信部で受信された第１のデジタル画像信号を選択的に出力するスイッチ部と、
上記スイッチ部から上記マルチ画面用デジタル画像信号が出力されている状態で、上記同一画面に表示される複数の画像に基づいて所定の番組をユーザが選択するためのユーザ操作部と、
上記ユーザ操作部で上記所定の番組が選択されるとき、上記第１の受信部を該所定の番組に対応した上記第１のデジタル画像信号を受信するように制御すると共に、上記スイッチ部を該第１のデジタル画像信号を出力するように制御する制御部と
を備えることを特徴とする受信装置。
【請求項２】
上記第１の受信部で受信される第１のデジタル画像信号は暗号化されていると共に、上記第２の受信部で受信される第２のデジタル画像信号は暗号化されていない
ことを特徴とする請求項１に記載の受信装置。
【請求項３】
上記第１の受信部で受信される第１のデジタル画像信号および上記第２の受信部で受信される第２のデジタル画像信号は同一の経路で送信されてくる
ことを特徴とする請求項１に記載の受信装置。
【請求項４】
上記ユーザ操作部で上記所定の番組が選択されるとき、該所定の番組に対応した第２のデジタル画像信号に対して画素数増大処理を施して、上記第１の受信部で受信された第１のデジタル画像信号に相当する拡大画像信号を生成する画像拡大部をさらに備え、
上記制御部は、上記ユーザ操作部で上記所定の番組が選択されるとき、上記第１の受信部が上記所定の番組に対応した上記第１のデジタル画像信号を出力することが可能となるまで、上記スイッチ部から上記画像拡大部で生成された拡大画像信号が出力されるように制御する
ことを特徴とする請求項１に記載の受信装置。
【請求項５】
上記マルチ画面生成に係る上記一部に含める上記第２のデジタル画像信号の範囲を変更する範囲変更部をさらに備える
ことを特徴とする請求項１に記載の受信装置。
【請求項６】
第１の解像度の画像に係る第１のデジタル画像信号を受信する第１の受信部と、
上記第１の解像度より低い第２の解像度の画像に係る第２のデジタル画像信号を受信する複数の第２の受信部とを備える受信装置の番組選択方法であって、
上記複数の第２の受信部でそれぞれ異なる番組の第２のデジタル画像信号を受信する第１の受信ステップと、
上記第１の受信ステップで受信された複数の第２のデジタル画像信号の全部または一部を用い、該全部または一部による画像を同一画面に表示する第１の表示ステップと、
上記第１の表示ステップで同一画面に表示されている複数の画像から所定の番組を選択する番組選択ステップと、
上記番組選択ステップで選択された番組に対応した上記第１のデジタル画像信号を上記第１の受信部で受信する第２の受信ステップと、
上記第２の受信ステップで受信された上記第１のデジタル画像信号による画像を表示する第２の表示ステップと
を備えることを特徴とする受信装置の番組選択方法。
【発明の詳細な説明】
【技術分野】
【０００１】
この発明は、例えば地上波デジタル放送の受信機等に適用して好適な受信装置およびその番組選択方法に関する。
【０００２】
詳しくは、この発明は、高解像度のデジタル画像信号を受信する第１の受信部と、低解像度のデジタル画像信号を受信する複数の第２の受信部とを備え、複数の第２の受信部で受信されたそれぞれ異なる番組のデジタル画像信号によるマルチ画面に基づいてユーザが所定の番組を選択可能とし、当該選択された番組に対応した高解像度のデジタル画像信号を第１の受信部で受信して出力する構成とすることによって、回路規模およびコストを抑制しつつ、番組選択を良好に行い得るようにした受信装置等に係るものである。
【背景技術】
【０００３】
地上波デジタル放送の伝送方式として、ＯＦＤＭ技術を用いたＩＳＤＢ−Ｔ（IntegratedServices Digital Broadcasting for Terrestrial）がＡＲＩＢ（Associationof Radio Industries and Business：社団法人電波産業会）により規格化されている。
【０００４】
ＯＦＤＭ変調方式は、マルチキャリア変調方式の一種であり、隣接間で互いに直交する多数のキャリアに直並列変換された符号化データ（情報シンボル）を割り当て、逆高速フーリエ変換（Invert Fast Fourier Transform：ＩＦＦＴ）によって一括して時間領域の信号に変調した後に、直交変調によりＯＦＤＭ信号を生成して伝送するというものである。
【０００５】
また、ＯＦＤＭ変調方式はマルチキャリア変調方式であることから、キャリア毎に変調方式を設定することができ、ＩＳＤＢ−Ｔでは、伝送するビットレートに応じて、ＤＱＰＳＫ、ＱＰＳＫ、１６ＱＡＭ、６４ＱＡＭを割り付けることが可能とされている。
【０００６】
また、ＩＳＤＢ−Ｔは、ＵＨＦ帯の６Ｍの周波数帯域を１３個のセグメントと呼ばれる帯域に分割した方式（セグメント構造）を採用しており、セグメント毎に変調方式が設定可能であり、最大３階層の階層変調を行うことができるという特徴を有している。
【０００７】
ユーザのテレビ視聴の典型的なスタイルとして、明確な番組指定の選局ではなく、現在放送中の番組を適当に切り替えながら面白そうな番組を選択する、いわゆるザッピング視聴というものがある。
【０００８】
このザッピング視聴は、上述した地上波デジタル放送の受信装置においては、効率的ではない。すなわち、地上波デジタル放送では不正コピーを防止するためにデータを暗号化しており、これを復号化するためにＢ−ＣＡＳ(BS-Conditional Access Systems)カードとの通信が必要となるため、チャネル切り替えに要する時間が数秒程度かかる。
【０００９】
従来、このようなザッピング視聴による番組選択を、例えば特許文献１に開示されているように、受信可能な各チャネルの番組に係る複数の画像を同一画面にマルチ画面表示し、ユーザはその表示画像を参照して行うことが知られている。
【特許文献１】特開２００５−１６７７１２号公報
【発明の開示】
【発明が解決しようとする課題】
【００１０】
特許文献１に開示されているようなマルチ画面表示による番組選択の手法を、上述した地上波デジタル放送の受信装置に適用する場合、例えば１個の受信部の受信チャネルを順次切り替えることで、受信可能な各チャネルの画像を得ることが可能となる。しかしこの場合、上述したようにチャネル切り替えに要する時間が数秒程度かかるので、各チャネルの番組の画像をマルチ画面内に素早く反映させることができず、番組選択を良好に行うことができない。この問題は、マルチ画面内の画像分だけの個数の受信部を用意すれば解決される。しかしこの場合、装置全体の回路規模が大きくなるとも、大幅なコストアップを招くことになる。
【００１１】
この発明の目的は、回路規模およびコストを抑制しつつ、番組選択を良好に行い得るようにすることにある。
【課題を解決するための手段】
【００１２】
この発明の概念は、
第１の解像度の画像に係る第１のデジタル画像信号を受信する第１の受信部と、
上記第１の解像度より低い第２の解像度の画像に係る第２のデジタル画像信号を受信する複数の第２の受信部と、
上記複数の第２の受信部で受信されたそれぞれ異なる番組の第２のデジタル画像信号の全部または一部を用い、該全部または一部による画像を同一画面に表示するためのマルチ画面用デジタル画像信号を生成するマルチ画面生成部と、
上記マルチ画面生成部で生成されたマルチ画面用デジタル画像信号または上記第１の受信部で受信された第１のデジタル画像信号を選択的に出力するスイッチ部と、
上記スイッチ部から上記マルチ画面用デジタル画像信号が出力されている状態で、上記同一画面に表示される複数の画像に基づいて所定の番組をユーザが選択するためのユーザ操作部と、
上記ユーザ操作部で上記所定の番組が選択されるとき、上記第１の受信部を該所定の番組に対応した上記第１のデジタル画像信号を受信するように制御すると共に、上記スイッチ部を該第１のデジタル画像信号を出力するように制御する制御部と
を備えることを特徴とする受信装置にある。
【００１３】
この発明においては、高解像度（第１の解像度）の第１のデジタル画像信号を受信する第１の受信部の他に、それぞれ低解像度（第２の解像度）の第２のデジタル画像信号を受信する複数の第２の受信部が備えられる。地上波デジタル放送を扱うものにあっては、例えば、第２の受信部は周波数インターリーブを中央部の１つのセグメント（ＯＦＤＭセグメント）で行うモードの受信機からなり、第１の受信部は周波数インターリーブを残りの全てのセグメントで行うモードの受信機からなっている。
【００１４】
複数の第２の受信部では、それぞれ異なる番組の第２のデジタル画像信号が受信される。そして、受信された複数の第２のデジタル画像信号の全部または一部を用いて、それらによる画像を同一画面に表示するためのマルチ画面用デジタル画像信号が生成される。ユーザが番組選択の操作を行う段階では、このマルチ画面用デジタル画像信号が選択的に出力される。これにより、表示部には、マルチ画面が表示される。
【００１５】
ここで、マルチ画面生成に複数の第２の受信部で得られる第２のデジタル画像信号の一部のみを使用する場合、その一部に含める第２のデジタル画像信号の範囲を変更可能としてもよい。これにより、マルチ画面に表示される画像の数を少なくして画面サイズが小さくなることを回避できると共に、第２のデジタル画像信号の範囲を変更することで、マルチ画面で多くの番組の画像を容易に表示でき、ユーザによる番組選択操作の効率化が図れる。
【００１６】
ユーザ操作によりマルチ画面に基づいて所定の番組が選択されると、第１の受信部で所定の番組に対応した第１のデジタル画像信号が受信される。ここで、この第１のデジタル画像信号は、第２のデジタル画像信号と同一の経路で、あるいは第２のデジタル画像信号とは別経路で送信されてくる。
【００１７】
例えば、地上波デジタル放送に関しては、中央の１つのＯＦＤＭセグメントから得られるデジタル画像信号が第２のデジタル画像信号であり、残りの全てのＯＦＤＭセグメントから得られるデジタル画像信号が第１のデジタル画像信号であって、これら第１、第２のデジタル画像信号は同一経路で送られてくる。
【００１８】
このように第１の受信部で所定番組に対応した第１のデジタル画像信号が受信されると、上述したマルチ画面用デジタル画像信号に代わって、この第１のデジタル画像信号が出力される。これにより、表示部には、第１のデジタル画像信号による、所定の番組の画像が表示される。
【００１９】
このように、番組選択のためのマルチ画面を得るために低解像度のデジタル画像信号を受信する複数の第２の受信部を備えるものであり、例えば第１の受信部を１個だけ備えて、この第１の受信部で複数の番組の受信を順次切り替えることで各番組の画像を得るものと比べて、各番組の画像変化をマルチ画面内に素早く反映させることができ、ユーザは番組選択を良好に行うことができる。この効果は、第１の受信部で受信される第１のデジタル画像信号が暗号化されていて、第２の受信部で受信される第２のデジタル画像信号が暗号化されていない場合に、一層強調されることになる。
【００２０】
また、番組選択のためのマルチ画面を得るために低解像度のデジタル画像信号を受信する複数の第２の受信部を備えるものであり、複数の第１の受信部を備えるものに比べて、回路規模も小さく、しかも安価に構成できる。
【００２１】
なお、ユーザ操作によりマルチ画面に基づいて所定の番組が選択された後、第１の受信部が選択された番組に対応した第２のデジタル画像信号を受信するように設定されるが、この第１の受信部からその番組に対応した第１のデジタル画像信号が出力可能となるまで、第２の受信部で受信されているその番組に対応した第２のデジタル画像信号に画素数増大処理を施して出力するようにしてもよい。これにより、画質が落ちるものの、選択された番組の画像をフルサイズでユーザに素早く提示できる。
【発明の効果】
【００２２】
この発明によれば、高解像度のデジタル画像信号を受信する第１の受信部と、低解像度のデジタル画像信号を受信する複数の第２の受信部とを備え、複数の第２の受信部で受信されたそれぞれ異なる番組のデジタル画像信号によるマルチ画面に基づいてユーザが所定の番組を選択可能とし、その後に当該選択された番組に対応した高解像度のデジタル画像信号を第１の受信部で受信して出力するものであり、回路規模およびコストを抑制しつつ、番組選択を良好に行うことができる。
【発明を実施するための最良の形態】
【００２３】
以下、図面を参照しながら、この発明の実施の形態について説明する。図１は、実施の形態としての受信装置１００の構成を示している。この受信装置１００は地上波デジタル放送に対応したものである。
【００２４】
この受信装置１００は、マイクロコンピュータを備えており装置全体の動作を制御する制御部１０１を有している。この制御部１０１には、リモートコントローラ（以下、「リモコン」という）１０２から出力される操作信号（例えば赤外線信号）を受信するリモコン受信部１０２、さらには不揮発性メモリ１０３が接続されている。
【００２５】
また、受信装置１００は、地上波デジタル放送の受信アンテナ１０５と、複数の、この実施の形態では９個のワンセグ受信部１０６-1〜１０６-9と、マルチ画面生成部１０７と、フルセグ受信部１０８と、スイッチ部を構成する切換スイッチ１０９と、表示部１１０とを有している。
【００２６】
周知のように、地上波デジタル放送は、帯域幅６ＭＨｚに１チャネルが割り当てられ、６ＭＨｚの帯域のうち、ガードバンドとして４２９ｋＨｚを割り当て、残りの帯域幅を１３個のセグメント（ＯＦＤＭセグメント）に分割したＯＦＤＭ(Orthogonal Frequency Division Multiplexing)方式によって放送されている。
【００２７】
図２に示すように、１３セグメントのうち、中央部の１セグメントは携帯受信機向けの部分受信階層に割り当てられている。この部分受信階層に割り当てられた１セグメントは、このセグメント内のみで周波数インターリーブが行われている。なお、残りの１２セグメントで、例えばハイビジョン（ＨＤＴＶ）放送を行えるようになっている。
【００２８】
この実施の形態では、説明を簡単にするため、各チャネルにおいて、部分受信階層に割り当てられた１セグメントを除いた１２セグメントでハイビジョン放送が行われていると共に、このハイビジョン放送の番組内容と部分受信階層に割り当てられた１セグメントで行われる放送の番組内容とは一致しているものとする（サイマル放送）。
【００２９】
ワンセグ受信部１０６-1〜１０６-9は、それぞれ、上述した部分受信階層に割り当てられた１つのセグメントで行われる低解像度（３２０×１８０画素）の放送を受信する。すなわち、これらワンセグ受信部１０６-1〜１０６-9は、それぞれ、周波数インターリーブを中央部の１個のセグメントで行うモードの受信機を構成している。なお、この低解像度の放送で送られてくる低解像度デジタル画像信号（第２のデジタル画像信号）は暗号化されていない。
【００３０】
フルセグ受信部１０８は、上述した部分受信階層に割り当てられた１セグメントを除いた残りの１２セグメントで行われる高解像度（１９２０×１０８０画素）のハイビジョン放送を受信する。すなわち、このフルセグ受信部１０８は、周波数インターリーブをこの残りの１２セグメントで行うモードの受信機からなっている。なお、この高解像度のハイビジョン放送で送られてくる高解像度デジタル画像信号（第１のデジタル画像信号）は暗号化されている。そのため、このフルセグ受信部１０８で受信チャネルの切換がある場合、復号化のためにＢ−ＣＡＳカードとの通信が必要となることから、切換後のチャネルのデジタル画像信号が得られるまでには数秒程度かかる。
【００３１】
マルチ画面生成部１０７は、ワンセグ受信部１０６-1〜１０６-9でそれぞれ受信された低解像度デジタル画像信号に基づいて、これらの画像信号による画像を同一画面に表示するためのマルチ画面用デジタル画像信号ＳＭＴを生成する。ここで、マルチ画面を構成する９個の画像を３×３のマトリックス状に配列する場合、画素数変換を行わないとすれば、水平方向は９６０（＝３２０×３）画素、垂直方向は５４０（＝１８０×３）画素となり、水平、垂直ともハイビジョン放送における画素数の半分である。したがって、このマルチ画面生成部１０７では、９個の画像の画素数をそれぞれ増加する処理を行って、マルチ画面における各画像のサイズが拡大されるようにしてもよい。
【００３２】
切換スイッチ１０９は、マルチ画面生成部１０７で生成されたマルチ画面用デジタル画像信号ＳＭＴまたはフルセグ受信部１０８で受信された高解像度デジタル画像信号ＳＦＬを選択的に出力する。この切換スイッチ１０９のａ側の固定端子はマルチ画面生成部１０７の出力側に接続され、この切換スイッチ１０９のｂ側の固定端子はフルセグ受信部１０８の出力側に接続されている。この切換スイッチ１０９は、表示部１１０にマルチ画面用デジタル画像信号ＳＭＴによるマルチ画面を表示する際にはａ側に接続され、高解像度デジタル画像信号ＳＦＬによる画像を表示する場合にはｂ側に接続される。
【００３３】
表示部１１０は、例えばＬＣＤ(Liquid Crystal Display)、ＰＤＰ(PlasmaDisplay Pane)等の画像表示素子を用いて構成されている。この表示部１１０は、切換スイッチ１０９から出力されるデジタル画像信号による画像を表示する。
【００３４】
図１に示す受信装置１００の動作を説明する。
【００３５】
まず、図３のフローチャートを参照して、制御部１０１が受信可能なチャネルを把握するセットアップ時の処理（セットアップ処理）について説明する。制御部１０１は、ユーザがリモコン１０２でセットアップを指示することで、このセットアップ処理をスタートする。
【００３６】
ステップＳＴ１で、処理を開始し、ステップＳＴ２で、チャネル番号ＣＨＮＯを１３として、フルセグ受信部１０８の受信チャネルをチャネル「１３」に設定する。そして、ステップＳＴ３で、放送信号を受信したか否かを判定する。放送信号を受信したときは、ステップＳＴ４で、放送信号からＮＩＴ(Network Information Table:ネットワーク情報テーブル)を取得し、さらにこのＮＩＴから放送サービスの種別を示すサービスＩＤ(service_id)を取得し、ステップＳＴ５で、このサービスＩＤを受信されているチャネルと関連付けて、不揮発性メモリ１０４に蓄積する。
【００３７】
次に、ステップＳＴ６で、チャネル番号ＣＨＮＯが６２であるか否かを判定する。ＣＨＮＯ＝６２であるときは、フルセグ受信部１０８に全ての受信チャネルを設定して処理を行ったことを意味するので、ステップＳＴ７で、処理を終了する。
【００３８】
一方、ＣＨＮＯ＝６２でないときは、ステップＳＴ８で、チャネル番号ＣＨＮＯを１だけ増やし、その後にステップＳＴ３に戻り、フルセグ受信部１０８に次の受信チャネルを設定して、上述したと同様の処理を行う。
【００３９】
制御部１０１が上述したようなセットアップ処理を行うことで、受信可能なチャネルとサービスＩＤとの対応付けがされる。図４は、不揮発性メモリ１０４に蓄積された、受信可能なチャネルとサービスＩＤとの対応付けの一例を示している。この図４において、サービスＩＤと対応付けされているチャネルは受信可能なチャネルということになる。なお、周波数は、各チャネルの受信周波数を示している。
【００４０】
次に、図５のフローチャートを参照して、制御部１０１の番組選択処理について説明する。制御部１０１は、例えばパワーオン時に、この番組選択処理を開始する。
【００４１】
ステップＳＴ１１で処理を開始し、ステップＳＴ１２で、表示部１１０に、ワンセグマルチ画面が表示されるように制御する。この場合、ワンセグ受信部１０６-1〜１０６-9には、上述したセットアップ処理で把握された受信可能なチャネルから選択された、それぞれ異なるチャネルが受信チャネルとして設定されている。
【００４２】
ワンセグ受信部１０６-1〜１０６-9にそれぞれ設定されるチャネルは後述するようにユーザ操作によって変更可能であるが、最初は制御部１０１により機械的に割り振られる。なお、受信可能なチャネルが９チャネルに満たないときは、ワンセグ受信部１０６-1〜１０６-9のうち受信可能なチャネルの個数に対応した個数のワンセグ受信部のみが使用される。
【００４３】
ワンセグ受信部１０６-1〜１０６-9では、それぞれ、受信チャネルのデジタル放送信号から低解像度デジタル画像信号が取得される。そして、これらの低解像度デジタル画像信号はマルチ画面生成部１０７に供給される。マルチ画面生成部１０７で、ワンセグ受信部１０６-1〜１０６-9から供給される９個の低解像度デジタル画像信号に基づいて、これらの画像信号による画像を同一画面に表示するためのマルチ画面用デジタル画像信号ＳＭＴが生成される。
【００４４】
また、切換スイッチ１０９はａ側に接続される。そのため、マルチ画面生成部１０７で生成されたマルチ画面用デジタル画像信号ＳＭＴが切換スイッチ１０９のａ側を介して表示部１１０に供給される。これにより、表示部１１０には、９個の画像を含むマルチ画面（ワンセグマルチ画面）が表示される。図６Ａは、ワンセグマルチ画面の一例を示している。
【００４５】
なお、図６Ａには図示していないが、各画像に対応してチャネル番号、さらにはサービスＩＤに対応した放送サービスの種別などをスーバーインポーズ表示し、ユーザの番組選択の便宜を図るようにしてもよい。
【００４６】
図５に戻って、ステップＳＴ１２の処理の後に、ステップＳＴ１３で、ユーザがリモコン操作でワンセグ受信部１０６-1〜１０６-9に設定されている受信チャネルの変更を要求しているか否かを判定する。ユーザが受信チャネルの変更を要求しているときは、ステップＳＴ１４のユーザによる受信チャネルの変更処理に移行する。
【００４７】
ユーザによる受信チャネルの変更要求があるとき、マルチ画面上に、受信可能なチャネルのリストを、スーパーインポーズ表示するようにしてもよい。この場合、そのスーパーインポーズ用の表示信号は、制御部１０１内、あるいは制御部１０１の制御のもとマルチ画面生成部１０７内で生成されて、マルチ画面用画像信号ＳＭＴに合成される。
【００４８】
ステップＳＴ１４で、ユーザによる受信チャネルの変更処理が行われた後、ステップＳＴ１５で、ワンセグ受信部１０６-1〜１０６-9の受信チャネルを、それぞれ、変更されたチャネルに設定する。その後に、ステップＳＴ１２に戻り、上述したと同様に、表示部１１０に、ワンセグマルチ画面が表示されるように制御する。この場合、表示部１１０に表示されるワンセグマルチ画面は、ユーザによるワンセグ受信部１０６-1〜１０６-9の受信チャネルの変更が反映されたものとなる。
【００４９】
上述のステップＳＴ１３で、ユーザによる受信チャネルの変更要求がないときは、ステップＳＴ１６で、フルセグ受信チャネル、つまりフルセグ受信部１０８で受信すべきチャネル（番組）が選択されたか否かを判定する。ユーザは、例えばこのチャネルの選択を、図６Ａに示すような画像選択カーソルＣＡをリモコン操作で所望の画像位置に移動させ、その後に確定操作を行うことで達成できる。
【００５０】
ステップＳＴ１６でフルセグ受信チャネルが選択されていないときは、ステップＳＴ１２に戻る。一方、フルセグ受信チャネルが選択されたときは、ステップＳＴ１７に進む。このステップＳＴ１７では、フルセグ受信部１０８の受信チャネルを、ステップＳＴ１６で選択されたチャネルに設定する。
【００５１】
そして、ステップＳＴ１８で、表示部１１０に、フルセグ画面が表示されるように制御する。この場合、切換スイッチ１０９はｂ側に接続される。そのため、フルセグ受信部１０８で得られた、ユーザによって選択されたチャネル（番組）に係る高解像度デジタル画像信号ＳＦＬが切換スイッチ１０９のｂ側を介して表示部１１０に供給される。これにより、表示部１１０には、フルセグ画面が表示される。図６Ｂは、図６Ａのワンセグマルチ画面上で選択された受信チャネルのフルセグ画面の一例を示している。
【００５２】
ステップ１８の処理の後に、ステップＳＴ１９で、ユーザがリモコン操作で、ワンセグマルチ画面表示を要求しているか否かを判定する。ユーザがワンセグマルチ画面表示を要求していないときは、ステップＳＴ１８に戻り、フルセグ画面の表示状態を継続する。
【００５３】
ユーザがワンセグマルチ画面表示を要求しているときは、ステップＳＴ１２に戻り、上述したように、ワンセグマルチ画面が表示されるように制御する。これにより、表示部１１０には、再び、ワンセグマルチ画面が表示されるようになり、そのマルチ画面を用いたユーザのチャネル（番組）選択が可能となる。
【００５４】
上述したように、図１に示す受信装置１００によれば、チャネル（番組）選択のためのマルチ画面を得るために低解像度デジタル画像信号を受信するワンセグ受信部１０６-1〜１０６-9を備えるものであり、例えばフルセグ受信部１０８を１個だけ備え、このフルセグ受信部１０８で複数のチャネルの受信を順次切り替えることで各チャネルの画像を得るものと比べて、各チャネルの画像の変化をマルチ画面内に素早く反映させることができ、ユーザはチャネル（番組）選択を良好に行うことができる。
【００５５】
特に、フルセグ受信部１０８で受信される高解像度デジタル画像信号は暗号化されており、当該フルセグ受信部１０８ではチャネル切換後にそのチャネルのデジタル画像信号を得るのに数秒程度かかることから、この効果は一層強調される。
【００５６】
また、図１に示す受信装置１００によれば、チャネル（番組）選択のためのマルチ画面を得るために低解像度デジタル画像信号を受信するワンセグ受信部１０６-1〜１０６-9を備えるものであり、例えば複数のフルセグ受信部１０８を備えるものに比べて、回路規模も小さく、しかも安価に構成できる。
【００５７】
次に、この発明の他の実施の形態を説明する。図７は、他の実施の形態としての受信装置１００Ａの構成を示している。この図７において、図１と対応する部分には同一符号を付し、その詳細説明を適宜省略する。
【００５８】
上述の図１に示す受信装置１００においては、９個のワンセグ受信部１０６-1〜１０６-9を備えるものであって、マルチ画面にこれら９個のワンセグ受信部１０６-1〜１０６-9で得られる低解像度デジタル画像信号による９個の画像が含まれるようにしている（図６Ａ参照）。
【００５９】
図７に示す受信装置１００Ａにおいては、９個のワンセグ受信部１０６-1〜１０６-9の他に、さらに６個のワンセグ受信部１０６-10〜１０６-15を備えている。これらワンセグ受信部１０６-10〜１０６-15も、ワンセグ受信部１０６-1〜１０６-9と同様に、上述した部分受信階層に割り当てられた１つのセグメントで行われる低解像度（３２０×１８０画素）の放送を受信する。
【００６０】
ワンセグ受信部１０６-1〜１０６-15には、それぞれ、上述したセットアップ処理で把握された受信可能なチャネルから選択された、それぞれ異なるチャネルが受信チャネルとして設定される。ワンセグ受信部１０６-1〜１０６-15に設定されるチャネルは、ユーザ操作によって変更可能であるが（図５のＳＴ１３、ＳＴ１４参照）、最初は制御部１０１により機械的に割り振られる。
【００６１】
ワンセグ受信部１０６-1〜１０６-15では、それぞれ、受信チャネルのデジタル放送信号から低解像度デジタル画像信号が取得される。そして、これらの低解像度デジタル画像信号はマルチ画面生成部１０７Ａに供給される。マルチ画面生成部１０７Ａでは、ワンセグ受信部１０６-1〜１０６-15から供給される１５個の低解像度デジタル画像信号のうち、９個の低解像度デジタル画像信号に基づいて、これらの画像信号による画像を同一画面に表示するためのマルチ画面用デジタル画像信号ＳＭＴが生成される。このマルチ画面用デジタル画像信号ＳＭＴは切換スイッチ１０９のａ側に供給される。
【００６２】
ここで、ユーザのリモコン操作で、マルチ画面用デジタル画像信号ＳＭＴを生成するための９個の低解像度デジタル信号の範囲を変更可能とされている。この実施の形態では、９個の低解像度デジタル信号をワンセグ受信部１０６-1〜１０６-9からの画像信号とする第１の状態、９個の低解像度デジタル信号をワンセグ受信部１０６-1〜１０６-6，１０６-10〜１０６-12からの画像信号とする第２の状態、または９個の低解像度デジタル信号をワンセグ受信部１０６-4〜１０６-9，１０６-13〜１０６-15からの画像信号とする第３の状態に変更できる。
【００６３】
この受信装置１００Ａにおけるその他の構成は、図１に示す受信装置１００と同様とされる。そして、詳細説明は省略するが、この受信装置１００Ａにおけるセットアップ処理およびチャネル（番組）選択処理も、図１に示す受信装置１００と同様に行われる（図３、図５参照）。
【００６４】
チャネル（番組）選択処理において、表示部１１０に表示されるマルチ画面（ワンセグマルチ画面）に含まれる画像は、上述したユーザのリモコン操作による９個の低解像度デジタル信号の範囲の変更に伴って変更される。
【００６５】
図８は、マルチ画面に含まれる画像の変更例を示している。この図８において、各画像に付されている「１」〜「１５」の番号は、それぞれ、ワンセグ受信部１０６-1〜１０６-15からの画像信号よる画像であることを示している。
【００６６】
ユーザ操作によるマルチ画面用デジタル画像信号ＳＭＴを生成するための９個の低解像度デジタル信号の範囲が上述した第１の状態とされるとき、表示部１１０にはｂの範囲の９個の画像が含まれるマルチ画面が表示される。また、その範囲が上述した第２の状態とされるとき、表示部１１０にはａの範囲の９個の画像が含まれるマルチ画面が表示される。さらに、その範囲が上述した第３の状態とされるとき、表示部１１０にはｃの範囲の９個の画像が含まれるマルチ画面が表示される。
【００６７】
チャネル（番組）選択処理では、上述したように、表示部１１０に表示されているマルチ画面に含まれる画像のうちいずれかを画像選択カーソルＣＡを移動して選択することで、チャネルの選択処理が行われる。そのため、表示部１１０に表示されるマルチ画面に含まれる画像の範囲が上述したように変更されることで、チャネルの選択範囲も変更される。
【００６８】
図７に示す受信装置１００Ａによれば、図１に示す受信装置１００と同様の効果がある。また、この図７に示す受信装置１００によれば、マルチ画面に反映される９個の画像の範囲をワンセグ受信部１０６-1〜１０６-15の受信チャネルの設定を変更することなく容易に変更でき(図８参照)、従ってマルチ画面で多くの番組の画像を容易に表示でき、ユーザによる番組選択操作の効率化を図ることができる。
【００６９】
なお、図８にはマルチ画面に含まれる画像が水平方向にシフトする例を示したが、垂直方向にシフトするようにしてもよい。また、ワンセグ受信部をさらに多く備えることで、さらに多段階のシフトも可能となる。また、上述ではマルチ画面は９個の画像を固定的に含むものとしているが、マルチ画面に含まれる画像の個数を、ユーザの操作によって例えば９個、１２個、１５個等のように変更可能としてもよい。
【００７０】
なお、フルセグ受信部１０８で取得される高解像度デジタル画像信号は暗号化されており、このフルセグ受信部１０８に受信チャネルを設定してから実際にそのチャネルのデジタル画像信号が得られるまでには数秒程度かかる。そのため、図５のチャネル（番組）選択処理において、ステップＳＴ１７でフルセグ受信部１０８に受信チャネルを設定してからステップＳＴ１８で表示部１１０にフルセグ画面が表示されるまでに時間がかかり、フルセグ受信部１０８に受信チャネルを設定すると同時に切換スイッチ１０９をｂ側に切り換えたとすると、表示部１１０には何も表示されない状態となる。
【００７１】
そこで、フルセグ受信部１０８に受信チャネルを設定してから実際にそのチャネルのデジタル画像信号が得られるまでの間、その受信チャネルの低解像度デジタル画像信号に基づいた画像を表示部１１０に表示させるようにしてもよい。
【００７２】
図９のフローチャートは、その場合における、チャネル（番組）選択処理を示している。この図９において、図５と対応するステップには同一符号を付して示している。
【００７３】
ステップＳＴ１６で、図１０Ａに示すように表示部１１０にワンセグマルチ画面が表示されている状態で、画像選択カーソルＣＡで所定チャネル（番組）が選択されるとき、ステップＳＴ１７で、フルセグ受信部１０８に当該所定チャネルが受信チャネルとして設定する。
【００７４】
次に、ステップＳＴ２０で、表示部１１０に、ワンセグ拡大画面が表示されるように制御する。この場合、図１（図７）のマルチ画面生成部１０７（１０７Ａ）で当該所定チャネルの低解像度デジタル信号に画素数増大処理が施されて拡大画像信号が生成され、この拡大画像信号が切換スイッチ１０９のａ側を介して表示部１１０に供給される。これにより、表示部１１０には、図１０Ｂに示すように、ワンセグ拡大画面が表示される。
【００７５】
ここで、ワンセグ受信部で得られる低解像度デジタル画像信号は３２０×１８０画素であるので、マルチ画面生成部１０７（１０７Ａ）における画像拡大処理では、線形補間などによって、１９２０×１０８０画素に画素数が増大され、フルセグ受信部１０８で得られる高解像度デジタルビデオ信号ＳＦＬに相当する拡大画像信号が生成される。このとき、マルチ画面生成部１０７（１０７Ａ）は画像拡大部を構成する。
【００７６】
次に、ステップＳＴ２１で、フルセグ画面の表示が可能であるか否か、つまりフルセグ受信部１０８から設定された受信チャネルの高解像度デジタル画像信号ＳＦＬが得られる状態になったか否かを判定する。そして、フルセグ画面の表示が可能となったときは、ステップＳＴ１８に進み、表示部１１０に、図１０Ｃに示すように、フルセグ画面が表示されるように制御する。この場合、切換スイッチ１０９はｂ側に接続される。そのため、フルセグ受信部１０８で得られた、ユーザによって選択されたチャネル（番組）に係る高解像度デジタル画像信号ＳＦＬが切換スイッチ１０９のｂ側を介して表示部１１０に供給される。これにより、表示部１１０には、フルセグ画面が表示される。
【００７７】
上述したように、フルセグ受信部１０８に受信チャネルを設定してから実際にそのチャネルのデジタル画像信号が得られるまでの間、その受信チャネルの低解像度デジタル画像信号に基づいた画像を表示部１１０に表示させることで、画質が落ちるものの、選択されたチャネル（番組）の画像をフルサイズでユーザに素早く提示できる。
【００７８】
また、上述実施の形態においては、この発明を地上波デジタル放送の受信装置１００，１００Ａに適用したもので、低解像度デジタル画像信号は高解像度デジタル画像信号と同じ経路（地上波デジタル放送信号）で受信されるものを示したが、低解像度デジタル画像信号は高解像度デジタル画像信号と別経路、例えばインターネットなどで受信されるものにも、この発明を同様に適用できる。
【産業上の利用可能性】
【００７９】
この発明は、回路規模およびコストを抑制しつつ、番組選択を良好に行うことができるものであり、例えば地上波デジタル放送受信機等に適用できる。
【図面の簡単な説明】
【００８０】
【図１】実施の形態としての受信装置の構成を示すブロック図である。
【図２】地上波デジタル放送における１チャネル分のセグメント（ＯＦＤＭセグメント）を示す図である。
【図３】セットアップ処理の手順を示すフローチャートである。
【図４】セットアップ時におけるサービスＩＤの取得を説明するための図である。
【図５】チャネル（番組）選択処理の手順を示すフローチャートである。
【図６】チャネル（番組）選択処理におけるワンセグマルチ画面およびフルセグ画面の一例を示す図である。
【図７】他の実施の形態としての受信装置の構成を示すフローチャートである。
【図８】マルチ画面に含まれる画像の変更例を示す図である。
【図９】チャネル（番組）選択処理の他の手順を示すフローチャートである。
【図１０】チャネル（番組）選択処理におけるワンセグマルチ画面、ワンセグ拡大画面およびフルセグ画面の一例を示す図である。
【符号の説明】
【００８１】
１００，１００Ａ・・・受信装置、１０１・・・制御部、１０２・・・リモートコントローラ、１０３・・・リモコン受信部、１０４・・・不揮発性メモリ、１０５・・・受信アンテナ、１０６-1〜１０６-15・・・ワンセグ受信部、１０７，１０７Ａ・・・マルチ画面生成部、１０８・・・フルセグ受信部、１０９・・・切換スイッチ、１１０・・・表示部
【図１】
2007329847.tif 000003
【図２】
2007329847.tif 000004
【図３】
2007329847.tif 000005
【図４】
2007329847.tif 000006
【図５】
2007329847.tif 000007
【図６】
2007329847.tif 000008
【図７】
2007329847.tif 000009
【図８】
2007329847.tif 000010
【図９】
2007329847.tif 000011
【図１０】
2007329847.tif 000012